(57)【要約】【課題】集塵が可能でしかも高効率な空気浄化性能が得られるようにする。【解決手段】空気浄化脱臭装置９を、床下空間５に配設すると共に、床部６に吸入口１５と吐出口１６とを設け、吸入口１５と空気浄化脱臭装置９との間および空気浄化脱臭装置９と吐出口１６との間をそれぞれダクト１９，２０を介して連結するようにしている。【選択図】図１
2007252555.tif 000002
【特許請求の範囲】
【請求項１】
空気浄化脱臭装置を、床下空間に設置すると共に、床部に吸入口と吐出口とを設け、吸入口と空気浄化脱臭装置との間および空気浄化脱臭装置と吐出口との間をそれぞれダクトを介して連結したことを特徴とする建物用空気浄化脱臭システム。
【発明の詳細な説明】
【技術分野】
【０００１】
この発明は、建物用空気浄化脱臭システムに関するものである。
【背景技術】
【０００２】
住宅などの建物の内部の空気を浄化するシステムとして、従来、間仕切の内部に集塵・脱臭フィルタや光触媒フィラメントを設置したものがある（例えば、特許文献１参照）。
【０００３】
また、床下空間に複合セラミックスを敷き詰め、床下にて調湿・脱臭された空気をダクトを介して室内へ供給するようにしたものがある（例えば、特許文献２参照）。
【特許文献１】特開平１１−１５９０３４号公報
【特許文献２】特開平１０−２８０５７１号公報
【発明の開示】
【発明が解決しようとする課題】
【０００４】
しかしながら、上記特許文献１に記載されたものでは、間仕切の内部に集塵・脱臭フィルタや光触媒フィラメントを設置するようにしているが、間仕切は形状が薄いため、フィルタ類の設置容積に限りがあり、また、循環ファンなども設置することができないため、埃や臭いに対する収集能力が劣っており、高効率な空気浄化性能を望むことはできなかった。
【０００５】
また、上記特許文献２に記載されたものでは、複合セラミックスに集塵能力がないため、床下空間の埃を室内へ放出してしまう可能性があった。
【課題を解決するための手段】
【０００６】
上記課題を解決するために、請求項１に記載された発明では、空気浄化脱臭装置を、床下空間に設置すると共に、床部に吸入口と吐出口とを設け、吸入口と空気浄化脱臭装置との間および空気浄化脱臭装置と吐出口との間をそれぞれダクトを介して連結した建物用空気浄化脱臭システムを特徴としている。
【発明の効果】
【０００７】
請求項１の発明によれば、室内の空気を、床部に設けた吸入口およびダクトを介して、床下空間に設置された空気浄化脱臭装置へ送給し、空気浄化脱臭装置で空気を浄化および脱臭した後、ダクトおよび床部に設けた吐出口を介して室内へ戻すようにする。このように、普段人の目に触れることのない床下空間に空気浄化脱臭装置を配設するようにしたことにより、大きな設置スペースが確保できるので、空気浄化脱臭装置に、大容積のフィルタ類や循環ファンなどを採用することが容易且つ自在となる。そして、大容積のフィルタ類を採用することにより、フィルタ性能や耐久性を高めることができる。また、循環ファンを採用することにより、強制的に室内の埃や臭いをフィルタ類に接触させることができるため、高い除塵・脱臭性能を得ることができる。以上により、集塵が可能でしかも高効率な空気浄化性能を得ることができる。
【発明を実施するための最良の形態】
【０００８】
集塵が可能でしかも高効率な空気浄化性能が得られるようにするという目的を、空気浄化脱臭装置を、床下空間に設置すると共に、床部に吸入口と吐出口とを設け、吸入口と空気浄化脱臭装置との間および空気浄化脱臭装置と吐出口との間をそれぞれダクトを介して連結する、という手段で実現した。
【実施例】
【０００９】
以下、本発明を具体化した実施例について、図示例と共に説明する。
【００１０】
図１〜図４は、この発明の実施例を示すものである。
【００１１】
まず、構成について説明すると、図１は住宅などの建物１を示しており、この建物１は基礎２の上に構築されている。この建物１は、壁部３によって外部から隔てられており、壁部３の内部には、居室空間４と床下空間５とを上下に分ける床部６が設けられている。なお、居室空間４は、間仕切７によって複数の居室部８に仕切ることが可能とされている。間仕切７は、居室部８間の通気が可能となるように設けられている。
【００１２】
そして、以上のような構成に対し、この実施例のものでは、空気浄化脱臭装置９を、上記した床下空間５に設置する。
【００１３】
この空気浄化脱臭装置９は、図２に示すように、少なくとも、循環ファン１１と、除塵フィルタ１２と、脱臭フィルタ１３とを備えている。循環ファン１１と除塵フィルタ１２と脱臭フィルタ１３とは、図２では、この順番に直列に接続されている。循環ファン１１には、例えば、ＨＥＰＡ式のものなどを用いる。また、脱臭フィルタ１３には、例えば、繊維状活性炭式のものなどを用いる。これらのフィルタ類１２，１３は、循環ファン１１の能力の範囲内でより大容積のものを使用するのが好ましい。
【００１４】
そして、床部６に吸入口１５と吐出口１６とを設ける。この吸入口１５と吐出口１６とは、居室空間４と床下空間５との間を連通するものである。これらの吸入口１５と吐出口１６には、それぞれ、グリル１７や粗フィルタ１８を設けるようにする。
【００１５】
ここで、吸入口１５と吐出口１６とは、居室空間４に対して最低１箇所ずつ設けるようにする。但し、吸入口１５と吐出口１６とは、１箇所のみに限るものではなく、それぞれ複数箇所設置することも可能である。例えば、各居室部８に対して１箇所ずつ設けるようにしたり、居室空間４または各居室部８に適宜分散して複数箇所設けたりすることができる。例えば、図１の場合、左側の小さな居室部８には、吸入口１５が１箇所設けられ、右側の大きな居室部８には、吸入口１５が２箇所と吐出口１６が１箇所設けられている。この場合、吐出口１６は、左側の小さな居室部８から最も離れた位置に設けられている。
【００１６】
また、吸入口１５と吐出口１６とは、離して設置するのが好ましい。例えば、居室空間４や各居室部８における、対角位置などに設けるようにする。
【００１７】
更に、吸入口１５と空気浄化脱臭装置９との間および空気浄化脱臭装置９と吐出口１６との間をそれぞれダクト１９，２０を介して連結する。このダクト１９，２０は、床下空間５に配索されるものである。なお、吸入口１５は空気浄化脱臭装置９の吸入側にダクト１９（吸入用ダクト）を介して連結され、吐出口１６は空気浄化脱臭装置９の吐出側にダクト２０（吐出用ダクト）を介して連結される。吸入口１５や吐出口１６が複数個設けられている場合には、ダクト１９，２０は合流・分岐形状とすることができる。
【００１８】
次に、この実施例の作用について説明する。
【００１９】
循環ファン１１を作動することにより、室内の空気を吸入し、床部６に設けた吸入口１５およびダクト１９を介して、床下空間５に配設された空気浄化脱臭装置９へ送給する。そして、空気浄化脱臭装置９の除塵フィルタ１２と脱臭フィルタ１３とを順に通すことにより、空気を浄化および脱臭した後、ダクト２０および床部６に設けた吐出口１６を介して室内へ戻すようにする。
【００２０】
この際、吸入口１５と吐出口１６とに設けたグリル１７や粗フィルタ１８が、大きな埃を捕集することにより、吸入口１５や吐出口１６からダクト１９，２０内への大きな埃の入り込みを防止することができ、空気浄化脱臭装置９の能力低下を防ぐことができる。
このように、この実施例によれば、普段人の目に触れることのない床下空間５に空気浄化脱臭装置９を配設するようにしたことにより、大きな設置スペースが確保できるので、空気浄化脱臭装置９に、大容積のフィルタ類１２，１３や循環ファン１１などを採用することが容易且つ自在となる。
【００２１】
そして、大容積のフィルタ類１２，１３を採用することにより、フィルタ性能や耐久性を高めることができる。
【００２２】
また、循環ファン１１を採用することにより、強制的に室内の埃や臭いをフィルタ類１２，１３に接触させることができるため、高い除塵・脱臭性能を得ることができる。
【００２３】
以上により、集塵が可能でしかも高効率な空気浄化性能を得ることができる。
【００２４】
また、吸入口１５や吐出口１６を対角位置に配置することにより、居室部８単位や居室空間４全体の空気の汚れを効率良く浄化および脱臭することができる。
【００２５】
更に、吸入口１５や吐出口１６を適宜の配置で複数設けることにより、居室部８単位に限らず、居室空間４全域に対しても効率的に、空気を浄化および脱臭することができる。
【００２６】
ここで、本発明の性能を実証するために以下の実験を行った。即ち、本発明の場合と、市販の空気清浄器を使用した場合と、計画換気を行った場合とで、たばこ脱臭性能と埃除去性能とがどの程度異なるかを比較した。
【００２７】
なお、本発明の空気浄化脱臭装置９の性能条件は、以下の通りとした。
循環ファン１１の循環空気風量：２００立方ｍ／ｈ
除塵フィルタ１２の寸法：１４０×２９０×１５０（ｍｍ）
脱臭フィルタ１３の寸法：１４０×２９０×５０（ｍｍ）
市販の空気清浄器は、急速運転を行った。計画換気は、０．５回／ｈとした。
【００２８】
また、居室部８の条件は、以下の通りとした。
測定室面積：２５．９平方ｍ（４．７×５．５×２．０（ｍ））
測定点：部屋の中央部（Ｈ＝１００ｍｍ）
吸入口１５と吐出口１６：各１箇所
その結果、たばこ脱臭性能比較実験については、図３に示すように、本発明の場合は線イのようになり、市販の空気清浄器を使用した場合は線ロのようになり、計画換気を行った場合は線ハのようになった。よって、脱臭速度は、本発明、空気清浄器、計画換気の順に速いことが実際に確認された。
【００２９】
また、埃除去性能比較実験については、図４に示すように、本発明の場合は線イのようになり、市販の空気清浄器を使用した場合は線ロのようになり、計画換気を行った場合は線ハのようになった。よって、埃除去速度は、本発明、空気清浄器、計画換気の順に速いことが実際に確認された。
【００３０】
以上、この発明の実施例を図面により詳述してきたが、実施例はこの発明の例示にしか過ぎないものであるため、この発明は実施例の構成にのみ限定されるものではなく、この発明の要旨を逸脱しない範囲の設計の変更等があってもこの発明に含まれることは勿論である。また、複数の実施例や変形例が示されている場合には、これらの可能な組合せが含まれることは勿論である。
【図面の簡単な説明】
【００３１】
【図１】本発明の実施例にかかる建物用空気浄化脱臭システムを設けた建物の縦断面図の図である。
【図２】図２の部分拡大図である。
【図３】たばこ脱臭性能比較実験の結果を示すグラフである。
【図４】埃除去性能比較実験の結果を示すグラフである。
【符号の説明】
【００３２】
５    床下空間
６    床部
９    空気浄化脱臭装置
１５  吸入口
１６  吐出口
１９  ダクト
２０  ダクト
【図１】
2007252555.tif 000003
【図２】
2007252555.tif 000004
【図３】
2007252555.tif 000005
【図４】
2007252555.tif 000006